(57)【特許請求の範囲】
【請求項１】
印刷用記録担体を一枚ずつ印刷し、走査用記録担体を一枚ずつ走査するように構成され、
印刷用記録担体のスタックを保持する保持手段と、
該印刷用記録担体のスタックから印刷用記録担体を一枚ずつ引き出す引出手段と、
押圧位置と無負荷位置との間で移動可能な押圧手段であって、該押圧位置においては前記引出手段の近くのエリアにおいて、前記保持手段によって保持されたスタックをバネ負荷によって前記引出手段へ向けて押圧し、前記無負荷位置においては印刷用記録担体のスタックが押圧手段によって影響を受けることなく前記保持手段内へ導入され得ることを確実にする押圧手段と、
該押圧手段を前記押圧位置から前記無負荷位置へ移動させる作動手段と、
走査用記録担体を駆動する駆動手段と、
該駆動手段によってフィードされるべき走査用記録担体を導くガイド手段と、を有する装置であって、
前記押圧手段を動かす前記作動手段は、更に、前記駆動手段へフィードされるべき走査用記録担体を導くガイド手段としても構成され、
前記押圧手段を動かす前記作動手段は、更に、前記押圧手段の動きを通じて、印刷用記録担体を再整列させるための再整列手段を動かす手段としても構成される、
ことを特徴とする装置。
【請求項２】
請求項１記載の装置であって、
前記作動手段は、
回転軸回りで回転可能なように設けられ、
前記回転軸回りに回転可能なガイド板を更に有し、
該ガイド板は、少なくとも２つのガイド突起を有し、
このガイド突起は、それぞれ、互いに一定の間隔が空けられた２つのガイド面を有し、
前記間隔は、前記回転軸に平行な方向における走査用記録担体の寸法に対応する、ことを特徴とする装置。
【発明の詳細な説明】
【０００１】
本発明は、請求項１の冒頭段落に定義された装置に関する。
【０００２】
このような装置は、型番ＰＰＦ２７１として、出願人によって市場に出されており、その結果、よく知られている。この既知装置は、ファクシミリ装置である。この既知装置は、走査用記録担体を導くガイド手段を別途有する。この手段は、追加的な構成要素を形成し、追加的なスペースを要求する。このような追加的ガイド手段は、好ましくない製造コストや組立時間の増加を招く。
【０００３】
本発明の目的は、上述の状況を防止し、請求項１の冒頭段落に定義された種類の改善された装置を提供することである。
【０００４】
この目的を達成するために、請求項１の冒頭段落に定義された装置は、更に、請求項１の特徴部分に定義された特徴を有する。
【０００５】
本発明に係る特徴を供給する結果、本発明に係る装置は、既知装置と比較して、個別のガイド手段を必要としないことが容易に実現され、駆動手段をガイド手段として用いる結果、コンパクトで簡素な構造が得られる。これは、高い信頼性及び最小限の製造コストの観点から好ましい。
【０００６】
本発明に係る装置が、更に、請求項２に定義された特徴を有する場合、非常に有益であることがわかった。このような実施形態は、簡素なオペレーション及びガイド手段の簡素な調整能力の観点から、非常に有益であることがわかった。
【０００７】
本発明の上述の及び別の態様は、以下に例示的に説明される実施形態から明らかにされ、この例を参照して説明される。
【０００８】
ここで、本発明は、例示的に挙げられ、本発明を限定しない実施形態を示す図面を参照してより詳細に説明される。
【０００９】
図１は、本発明の一実施形態に係る装置１を示す。この場合、装置１は、ファクシミリ装置であり、以下、単に装置１と呼ぶ。
【００１０】
図１に鎖線で示された印刷用記録担体の第一のスタック２は、矢印３によって示される方向へ向けて、装置１内へ装填され得る。その装填された状態において、スタック２は、装置１の支持板４上に位置する。更に、走査用記録担体の第二のスタック５は、矢印６によって示される方向へ向けて、装置１内へ装填され得る。第二のスタック５も鎖線で示される。その装填された状態において、スタック５は、装置１のガイド板７に寄りかかっている。このガイド板７は、以下により詳細に説明されるように、印刷用記録担体の第一のスタック２上に負荷を掛ける押圧手段がこれら記録担体の前縁においてリセットされ得ることに役立つように、追加的駆動手段に接続される。その時点で最上位の印刷用記録担体は、印刷用記録担体のスタック２から引き出され、次いで、印刷ローラへフィードされ、その上、図１に鎖線で示したように、矢印８によって示された方向に、装置１の外へフィードされる。同様に、その時点で最上位の走査用記録担体は、走査用記録担体の第二のスタック５から引き出され、図１に図示されない装置１の走査装置へフィードされる。個々の走査用記録担体のグラフィック・コンテントを走査することを可能にし、その後、走査された直後の該記録担体は、図１に鎖線で示したように、矢印９によって示された方向に、装置１の外へフィードされる。
【００１１】
筐体、電話キーパッド、英数字キーパッド、表示装置などの、図１に示した装置１の他の部分は、より詳細には説明されない。
【００１２】
装置１は、矢印８によって示される方向に、装置１の外へフィードされ得る、印刷用記録担体を印刷するように構成される。装置１は、更に、矢印９によって示される方向に、装置１の外へフィードされ得る、走査用記録担体１１を走査するように構成される。この構成は、図２を参照して、より詳細に説明される。
【００１３】
装置１は、印字ヘッド１３を有する印刷装置１２を有する。印字ヘッド１３は、略帯状で、点毎に印刷することを可能にする感熱式印字ヘッドである。この印刷は、印刷用記録担体１０、すなわち白紙の用紙、の上で達成される。印刷用記録担体１０は、矢印１４におって示される方向（すなわち時計回り）に駆動可能な印刷ローラ１５の支援に調和して駆動され得る。印刷ローラ１５は、印字ヘッド１３と協働する。印刷ローラ１５は、静止しているが、回転可能となるように、装置１に設けられる。印刷装置１２は、図示しないバネ手段によって、印刷ローラ１５に寄りかかって保持され、よって、印字ヘッド１３はバネ負荷によって印刷ローラ１５に対して押圧される。印字ヘッド１３を有する印刷装置１２は、軸１６回りに回転可能であり、矢印１７の方向に印刷ローラ１５から離れるように動くことが可能である。印刷装置１２の印刷ローラ１５から離れる方向への動きは、図１に示さない駆動装置によって達成され、印刷ローラ１５によって駆動され得る。
【００１４】
装置１において、熱転写印刷処理が印字ヘッド１３によって実行され得る。この熱転写印刷処理において、熱転写フォイルは、印字ヘッド１３によって点毎に加熱され、結果として、熱転写フォイルによって運ばれたワックス状の染料が印刷用記録担体１０へ転写される。前記熱転写フォイルは、第一のリール１８上に巻かれる。この熱転写フォイルの供給を伴う第一のリール１８は、供給心棒１９によって運ばれる。第一のリール１８から、熱転写フォイルは、鎖線で示すフィード路２０に沿って、第二のリール２１へ導かれる。この第二のリールは、巻取心棒２２によって運ばれる。この巻取心棒２２は、図２に部分的に示される送りギアを経由して、矢印２４によって示される方向に、印刷ローラ１５によって駆動され得る。
【００１５】
印刷用記録担体１０を印刷するために、この印刷用記録担体１０は、このような印刷用記録担体のスタック２を含む白紙用紙フィーダ２５から引き出されるべきである。すなわち、スタックから分離されるべきである。このため、装置１は、矢印２７によって示された方向（すなわち時計回り）に回転駆動可能な白紙用紙引出ローラ２６を有する。その時点で最上位の印刷用記録担体は、白紙用紙引出ローラ２６によって、白紙用紙フィーダ２５における第一のスタック２から引き出され、印字ヘッド１３と印刷ローラ１５との間のエリアへフィードされ得る。印刷用記録担体１０が印刷ローラ１５に達するとすぐに、印刷用記録担体１０は、更に、印刷ローラ１５によってフィードされ、すると、白紙用紙引出ローラ２６は、それ自体が前からそのような装置から既に知られたように、駆動係合から外れる。印刷用記録担体１０は、白紙用紙フィーダ２５と印刷ローラ１５との間を、図２に鎖線で示したフィード路２８に沿って、フィードされる。印刷用記録担体１０が印刷されると、印刷された記録担体１０は、図２に鎖線で示したのと同じように、フィード路２９に沿ってフィードされ、次いで、矢印８によって示された方向に、装置１の外へフィードされる。
【００１６】
装置１は、更に、例えば英数字などの走査用記録担体１１上のグラフィック情報をディジタル信号へ変換するために、走査用記録担体１１、すなわちオリジナル原稿、が走査され得るようにする走査装置３０を含む。図２において、走査装置３０は、図解的にのみ示される。
【００１７】
走査装置３０は、個別の筐体に収容される。この方法において、走査装置３０は個別のユニットを形成し、その結果、装置１から除去されるために、装置１から容易且つ簡単に分離され得ることが実現される。図２に示すように走査装置３０が装置１へ接続された第一のオペレーション・モードにおいては、図示しない走査装置３０が装置１から分離された第二のオペレーション・モードにおける場合と同様に、前記走査装置は、走査用記録担体１１を走査し得る。図２に示す第一のオペレーション・モードにおいて、走査用記録担体１１は、以下に簡単に説明される駆動手段によって、装置１において固定された走査装置３０を通り過ぎてフィードされ得る。第二のオペレーション・モードにおいて、走査装置３０は、静止した走査用記録担体１１を譲り渡すことによって、動かされ得る。
【００１８】
図２に示す第一のオペレーション・モードにおいて、走査用記録担体１１の走査を可能にするために、該走査用記録担体１１は、走査用記録担体の第二のスタックから引き出されなければならない。このため、装置１は、矢印３４によって示された方向（すなわち時計回り）に回転駆動可能なオリジナル原稿引出ローラ３３を有する。オリジナル原稿引出ローラ３３は、軸３５によって、回転可能に設けられる。オリジナル原稿引出ローラ３３は、矢印３４によって示される方向に調和して、特に図示も説明もされていない装置上の駆動手段によって、駆動され得る。引出手段として設けられたオリジナル原稿引出ローラ３３は、該引出ローラが走査用記録担体の第二のスタック５から走査用記録担体１１を引き出すのに役立つように、走査装置３０に収容され、このスタック５の走査用記録担体の前縁は、図２に見受けられるように、引出手段、すなわちオリジナル原稿引出ローラ３３、のエリアに置かれる。
【００１９】
この走査用記録担体１１の引き出し後、走査用記録担体１１の実際の走査を可能にするために、引き出された走査用記録担体１１は、装置１において段階的に駆動されるべきであり、引き出された走査用記録担体１１は、この駆動処理中に、細長い走査ユニット３８へフィードされる。走査ユニット３８は、特にバネ手段が走査ユニット３８を走査用記録担体１１へ押圧することによって、走査用記録担体１１と密接に接触するように保持された、光電子的に動作する走査ストリップ３９を有する。
【００２０】
引き出された走査用記録担体１１を駆動するために、装置１は、２つのオリジナル原稿駆動ローラ４０、４１を有する。これら２つのオリジナル原稿駆動ローラ４０は、一方のみが図２に示される。オリジナル原稿駆動ローラ４０は、引き出された走査用記録担体１１を走査ユニット３８へフィードし、それを走査装置３０、すなわち走査ユニット３８を通り過ぎるように動かすために、装置１において、引き出された走査用記録担体１１を駆動する駆動手段として機能する。駆動手段として設けられたこれら２つのオリジナル原稿駆動ローラ４０、４１も、走査装置３０に収容される。オリジナル原稿引出ローラ３３と同様に、駆動手段として設けられたこれら２つのオリジナル原稿駆動ローラ４０及び４１も、軸３５によって回転可能に設けられ、オリジナル原稿引出ローラ３３と同軸上にある。２つのオリジナル原稿駆動ローラ４０は、比較的摩擦係数の高い材料から成り、オリジナル原稿引出ローラ３３よりもわずかに大きい直径を有する。２つのオリジナル原稿駆動ローラ４０及び４１と同様に、軸３５及びオリジナル原稿引出ローラ３３の構造についての更なる詳細は、例えば米国特許第５，８２０，１２１号に記載されている。
【００２１】
オリジナル原稿引出ローラ３３と同様に、印刷ローラ１５、巻取心棒２２、白紙用紙引出ローラ２６、及びオリジナル原稿駆動ローラ４０用の駆動手段に関しては、１９９９年１２月２３日出願の欧州優先権特許出願第９９８９０４０２．３号が参照される。上記出願の主題はここに参考文献として組み込まれる。
【００２２】
以下の説明は主に図３及び４に関し、装置１の走査装置３０を示さない。第一のスタック２は図３に図解的にのみ示されている。第一のスタック３は、図４には全く示されていない。
【００２３】
ここで既に述べているように、装置１は、その時点で第一のスタック２の最上位の印刷すべき記録担体が白紙用紙フィーダ２５から引き出し、印字ヘッド１３と印刷ローラ１５との間のエリアへフィードさせる白紙用紙引出ローラ２６を有する。白紙用紙引出ローラ２６は、引出手段５０の一部を形成すると共に、白紙用紙引出ローラ２６の円周面と協働するように適応されたゴム・シート５１を有する。ゴム・シート５１を保持するために、複数のベンドを有する保持アーム５２が白紙用紙フィーダ２５のエリアに設けられ、該アームは、印刷用記録担体の第一のスタック２を保持する保持手段２５を形成し、回転軸５３回りに回転可能で、その自由端５４のエリアにおいてゴム・シートを保持若しくは運搬する。保持アーム５２の自由端５４のエリアにおいて、双方向破線矢印５５として図解的に示された圧力バネは、保持アーム５２上で作動し、保持アーム及びその結果としてゴム・シート５１をバネ負荷によって白紙用紙引出ロール２６へ向かって押圧する。図３に示すオペレーション状況において、ゴム・シート５１は、白紙用紙引出ローラ２６の円周面に寄り掛かっている。図４に示すオペレーション状況において、ゴム・シート５１は、白紙用紙引出ローラ２６の円周面から持ち上げられている。ゴム・シート５１が如何に白紙用紙引出ローラ２６から持ち上げられるかについては、以下に説明される。
【００２４】
装置１は、装置１の保持手段２５、すなわち白紙用紙フィーダ２５、のエリアに、押圧手段５６を有する。押圧手段５６は、図３に示す押圧位置と図４に示す無負荷位置との間で移動可能である。押圧位置において、押圧手段５６は、白紙用紙フィーダ２５に存在する印刷用記録担体の第一のスタック２を、引出手段５０に近いエリアにおいて、引出手段５０に向けて、バネ負荷によって押圧する。無負荷位置において、押圧手段５６は、印刷用記録担体の第一のスタック２若しくは追加スタックを、押圧手段５６による影響を受けずに、白紙用紙フィーダ２５へ挿入させる。
【００２５】
押圧手段５６は、印刷用記録担体のほぼ全幅にわたって延在する圧力板５７を有する。第一のスタック２から遠い方の側において、圧力板５７は、２つの硬化孔５８を有する。このうち、１つの硬化孔５８のみが図においては可視的である。２つの圧力バネ５９（図２参照）は、圧力板５７上で機能し、前記バネは図３及び４において双方向破線矢印によってのみ示される。
【００２６】
押圧手段５６は、更に、圧力板５７及び硬化孔５８に接続され、これら要素から伸びる２つの回転アーム６０を有する。１つの回転アーム６０のみが図３及び４において可視的である。この２つの回転アーム６０によって、押圧手段５６は、回転軸６１回りで回転可能なように、装置１に設けられる。
【００２７】
押圧手段５６を図３に示す押圧位置から図４に示す無負荷位置へ動かすことを可能にするために、２つの回転アーム６０のそれぞれは、関連する回転アーム６０から横に伸びる結合リブ６２を有する。
【００２８】
この２つの結合リブ６２を動かし、その結果として、押圧手段５６を押圧位置から無負荷位置へ動かすために、装置１は、駆動手段６３を有する。この場合、押圧手段５６を動かす駆動手段６３は、走査用記録担体１１を駆動する手段、すなわち２つのオリジナル原稿駆動ローラ４０、へフィードされるべき走査用記録担体１１を導くガイド手段として構成されると有益である。このガイド手段をも形成する駆動手段６３は、回転軸６４回りに回転可能となるように、装置１に設けられる。駆動手段６３は、この回転軸６４回りで回転可能なガイド板７を有する。ガイド板７は、２つのガイド突起６５及び６６を有する（図１参照）。１つのガイド突起６５のみが図３及び４において可視的である。２つのガイド突起６５及び６６は、それぞれ、ガイド面を有し、この２つのガイド面は互いに向かい合っており、互いに一定の間隔が空けられており、この間隔は、回転軸６４と平行な方向における走査用記録担体１１の寸法に対応する。この場合、この距離は、Ａ４サイズの用紙の幅に対応する。
【００２９】
加えて、ガイド板７は、別の２つのガイド突起６７及び６８を有する（図１参照）。これらガイド突起６７及び６８は、原則として２つのガイド突起６５及び６６に対応した形を有し、上記別の２つのガイド突起６７及び６８のガイド面間の距離は、この場合、Ａ５サイズの用紙の幅に対応する。
【００３０】
ガイド突起６５及び６６間の距離、及び、別のガイド突起６７及び６８間の距離、は、異なってもよい。更に、２つの関連するガイド突起間の距離を可変とすることができる構成を用いることも可能である。
【００３１】
駆動手段６３は、既述のように、押圧手段５６を動かすのに役立つ。このため、ガイド板７は、２つの駆動アーム６９に接続される。１つの駆動アーム６９のみが図３及び４において可視的である。２つの駆動アーム６９は、ガイド板７から引出手段５０に向けて伸びる。２つの駆動アーム６９のそれぞれは、カップ型の駆動突起７０から伸びる。この２つの駆動突起７０は、押圧手段５６の２つの結合リブ６２と協働するように、設けられ、構成される。
【００３２】
駆動手段６３が初期位置から矢印７１によって示された方向に動かされるとき、すなわち回転軸６４回りに回転させられるとき、駆動突起７０は、この回転動作中に結合リブ６２と噛み合い、その結果として、結合リブ６２引いては押圧手段５６が圧力バネ５９の動作に反発して、図３に示す押圧位置から図４に示す無負荷位置へ動かされる。この時、駆動手段６３は図４に示す位置にあるものとする。
【００３３】
装置１は、白紙用紙フィーダ２５と引出手段５０との間の移行エリアに隣接して、再整列手段７５を有する。この場合、再整列手段７５は、２アーム再整列レバー７６を有する。２アーム再整列レバー７６は、再整列手段７５の駆動部分を形成する再整列アーム７７及び７８を有する。この２アーム再整列レバー７６は、回転軸７９回りに回転可能なように設けられる。
【００３４】
再整列手段７５は、図３に示すレスト位置と図４に示す再整列位置との間で移動可能である。押圧手段５６が図３に示す押圧位置から図４に示す無負荷位置へ駆動手段６３によって動かされるとき、再整列手段７５は、レスト位置から再整列位置へ移動可能である。再整列手段７５の再整列アーム７７は、第一のスタック２から引出手段５０へ移動させられる印刷用記録担体の再整列をもたらす。このようにして、駆動手段６３の移動中に、追加の印刷用記録担体を白紙用紙フィーダ２５へ導入することを可能にするために、既に白紙用紙フィーダ２５に存在し、少なくとも幾分かは引出手段５０へ向けて既にフィードされている印刷用記録担体は、追加の印刷用記録担体の導入前には既に白紙用紙フィーダ２５におけるそれらの初期位置へ戻され、結果として、白紙用紙フィーダに既に存在する印刷用記録担体は、追加の印刷用記録担体の導入の前に、正確に整列させられたスタックを形成する。このようにして、追加の印刷用記録担体が導入されるとき、及び、そのような追加の印刷用記録担体が導入された後に、白紙用紙フィーダ２５に正確に整列させられたスタックが、得られることが保証される。
【００３５】
装置１において、再整列手段７５は、押圧手段５６によって、図３に示すレスト位置から図４に示す再整列位置へ移動可能である。このため、押圧手段５６は、押圧手段５６が押圧位置から無負荷位置へ移動する間に再整列手段７５の駆動アーム７８との作動的係合に入り、よって再整列手段７５のレスト位置から再整列位置への移動、特に回転移動、を生じさせる駆動ノーズ８０を有する。再整列手段７５の再整列位置からレスト位置への反対の動きは、重力の影響によって得られるが、この動きは、別の方法として、引き出される次の印刷用記録担体によっても得られ得る。
【００３６】
装置１は、更に、押圧手段５６の駆動ノーズ８０のエリアにおいて駆動ノーズ８０から横方向に伸びる別の駆動ノーズによって形成された追加手段８１を有する。この追加手段８１は、押圧手段５６が押圧位置から無負荷位置へ駆動手段６３によって移動されたときに、印刷用記録担体を一枚ずつ引き出す引出手段５０を非稼動にすることを可能にする。引出手段５０は、押圧手段５６の押圧位置から無負荷位置への移動中に、追加手段８１、すなわち駆動ノーズ８１がゴム・シート５１用の保持アーム５２を途切れさせ、結果として保持アーム５２を白紙用紙引出ローラ２６から離すように回転軸５３回りに回転させ、その結果として、ゴム・シート５１は白紙用紙引出ローラ２６の円周面から持ち上げられ、よって引出手段５０が非稼動状態となる、ことによって、単純に非稼動となる。これは、既に引出手段５０と作動的係合している印刷用記録担体を再整列手段７５によって白紙用紙フィーダ２５の初期位置内へ再整列させることも保証する。
【図面の簡単な説明】
【図１】  本発明の一実施形態に係る装置であって、走査装置が該装置から除去され、結果として該走査装置は図示されていない、該装置の斜視図である。
【図２】  印刷用記録担体のスタック上に負荷を掛ける押圧手段と、押圧手段用の駆動手段と、印刷用記録担体を再整列させる再整列手段と、を有する、図１に示す装置の関連部分を示す部分断面図である。
【図３】  押圧手段、駆動手段、及び再整列手段を有する、図１の装置の一部を、図２より拡大されたスケールであって、更に、押圧手段が押圧位置にあり、再整列手段がレスト位置にあるところを示す横断面図である。
【図４】  図３と同様に、図１及び２の装置の該一部分を、押圧手段が無負荷位置にあり、再整列手段が再整列位置にあるところを示す横断面図である。
【図１】
0004784958.tif 000002
【図２】
0004784958.tif 000003
【図３】
0004784958.tif 000004
【図４】
0004784958.tif 000005